(57)【特許請求の範囲】
【請求項１】
誘電体基板と、
上記誘電体基板の一方の面に配置されている第１導体素子と、
上記誘電体基板の他方の面に配置されている第２導体素子と
を含み、
上記第１導体素子は長さＬの帯状の形状を有し、
上記第２導体素子は、線対称な平板状の形状を有し、
上記第２導体素子は、上記線対称を定める直線（以下、「対称軸」と呼称する）の方向に長さＬ１（ただし、当該長さＬ１は上記長さＬよりも短い）を有する第１縁部と、対称軸に関して第１縁部と対称の位置にある第２縁部と、第１縁部の一端と第２縁部の一端とを繋ぐ第３縁部と、対称軸上に定められた位置（以下、「位置Ｓ」と呼称する）と第１縁部の他端とを繋ぐ第４縁部と、対称軸に関して第４縁部と対称の位置にある第５縁部とを有し、
上記位置Ｓは、上記第２導体素子を正視したとき、上記第３縁部と上記対称軸との交点Ａを一端とし当該一端から上記第２導体素子に対する上記第１導体素子の位置に応じて定められた距離だけ離れた上記対称軸上の位置を他端（ただし、当該他端は上記第３縁部に関して上記第１縁部の他端と同じ側に位置する）とする線分上（ただし、当該線分の両端を除く）に位置しており、
上記第１導体素子は、上記対称軸に沿って配置されており、
上記誘電体基板を正視したとき、上記第１導体素子の一端は上記第３縁部の近傍に位置し、上記第１導体素子の他端は上記第３縁部に関して上記第１縁部の他端と同じ側に位置しており、
給電点は、上記第１導体素子の一端、および、上記第２導体素子を正視したとき、上記対称軸が重なる上記第３縁部の部位である
ことを特徴とする平面アンテナ。
【請求項２】
請求項１に記載の平面アンテナにおいて、
上記位置Ｓは、上記線分において、上記交点Ａと、上記第２導体素子を正視したとき、上記第１縁部の他端と上記第２縁部の他端とを結ぶ直線と上記対称軸との交点Ｂと、の間の部分（ただし、上記交点Ａと当該交点Ｂを除く）に位置している
ことを特徴とする平面アンテナ。
【請求項３】
請求項２に記載の平面アンテナにおいて、
上記第１導体素子の長さＬと上記第１縁部の長さＬ１との合計は、1.7GHz〜1.9GHzの周波数帯域で１波長に相当する長さであり、
上記第１導体素子の長さＬと、上記位置Ｓから上記第３縁部までの距離Ｌ２と、の合計は、2.8GHz〜3.0GHzの周波数帯域で１波長に相当する長さである
ことを特徴とする平面アンテナ。
【請求項４】
請求項１から請求項３のいずれかに記載の平面アンテナにおいて、
上記第１導体素子の他端に、上記対称軸と直交する方向での第１導体素子の幅よりも広い幅を有する導体素子が接続されている
ことを特徴とする平面アンテナ。
【発明の詳細な説明】
【技術分野】
【０００１】
本発明は、広い帯域幅を持ち、かつ、交差偏波を抑制することが可能な平面アンテナに関する。
【背景技術】
【０００２】
広い帯域幅を持ち、かつ、複数の帯域で動作することが可能な平面アンテナとして、特許文献１に開示されている平面アンテナが知られている。この平面アンテナは、小型でありながら、700MHz帯から900MHz帯と2GHz近傍とにおいて良好なＶＳＷＲ（Voltage Standing Wave Ratio）特性と無指向性の放射パターン特性を持つ。
【先行技術文献】
【特許文献】
【０００３】
【特許文献１】特開2015-008439号公報
【発明の概要】
【発明が解決しようとする課題】
【０００４】
特許文献１の平面アンテナは、動作帯域のうち高い周波数では周波数帯域幅が狭く2GHz近傍でしか動作に適さない。また、特許文献１の平面アンテナによると、高い周波数において交差偏波が大きい。
【０００５】
そこで本発明は、広い帯域幅を持ち且つ交差偏波を抑制することが可能な平面アンテナを提供することを目的とする。
【課題を解決するための手段】
【０００６】
本発明の平面アンテナは、誘電体基板と、誘電体基板の一方の面に配置されている第１導体素子と、誘電体基板の他方の面に配置されている第２導体素子とを含む。第１導体素子は長さＬの帯状の形状を有し、第２導体素子は、線対称な平板状の形状を有する。第２導体素子は、線対称を定める直線（以下、「対称軸」と呼称する）の方向に長さＬ１（ただし、長さＬ１は長さＬよりも短い）を有する第１縁部と、対称軸に関して第１縁部と対称の位置にある第２縁部と、第１縁部の一端と第２縁部の一端とを繋ぐ第３縁部と、対称軸上に定められた位置（以下、「位置Ｓ」と呼称する）と第１縁部の他端とを繋ぐ第４縁部と、対称軸に関して第４縁部と対称の位置にある第５縁部とを有している。位置Ｓは、第２導体素子を正視したとき、第３縁部と対称軸との交点Ａを一端とし当該一端から第２導体素子に対する第１導体素子の位置に応じて定められた距離だけ離れた対称軸上の位置を他端（ただし、当該他端は第３縁部に関して第１縁部の他端と同じ側に位置する）とする線分上（ただし、当該線分の両端を除く）に位置している。第１導体素子は、対称軸に沿って配置されている。誘電体基板を正視したとき、第１導体素子の一端が第３縁部の近傍に位置し、第１導体素子の他端が、第３縁部に関して第１縁部の他端と同じ側に位置している。給電点は、第１導体素子の一端、および、上記第２導体素子を正視したとき、対称軸が重なる第３縁部の部位である。
【発明の効果】
【０００７】
本発明の平面アンテナは、詳しくは後述するが、特に第２導体素子を持つことに起因して、広い帯域幅を持ち、かつ、交差偏波を抑制することが可能である。
【図面の簡単な説明】
【０００８】
【図１】折り曲げオフセット給電ダイポールアンテナの構成例。
【図２】本発明の原理を説明する図。（ａ）長いエレメントの長さが等しく短いエレメントの長さが異なる二つの折り曲げオフセット給電ダイポールアンテナ。（ｂ）図２（ａ）に示す折り曲げオフセット給電ダイポールアンテナを組み合わせて得られる複合折り曲げオフセット給電ダイポールアンテナ。（ｃ）多重複合折り曲げオフセット給電ダイポールアンテナ。（ｄ）左右対称構成を持つ多重複合折り曲げオフセット給電ダイポールアンテナ。
【図３】実施形態の平面アンテナ。（ａ）平面図。（ｂ）底面図。（ｃ）第２導体素子。（ｄ）Ｅ−Ｅ線断面図。
【図４】実施形態の平面アンテナのＶＳＷＲ特性。
【図５】実施形態の平面アンテナの放射パターン。
【図６】変形例の平面アンテナ。（ａ）平面図。（ｂ）底面図。（ｃ）第２導体素子。（ｄ）Ｅ１−Ｅ１線断面図。
【発明を実施するための形態】
【０００９】
＜原理＞
実施形態の説明に先立ち、本発明の平面アンテナのアンテナ動作原理を説明する。
中央給電１波長ダイポールアンテナの給電点をアンテナの中央から少し（１/４波長程度）シフトした位置に設定することによってインピーダンス整合を改善し、さらに、短いエレメント（つまり、給電点までの距離が短い端部を持つ線状エレメント）を折り曲げてアンテナ全長の低減を図った折り曲げオフセット給電ダイポールアンテナ（図１参照）は、長いエレメント（つまり、給電点までの距離が長い端部を持つ線状エレメント）と短いエレメントの合計長に応じた共振周波数を持つ。したがって、長いエレメントの長さが等しく短いエレメントの長さが異なる二つの折り曲げオフセット給電ダイポールアンテナ（図２（ａ）参照）を、長いエレメントが共通の構成要素であり且つ短いエレメントが二分岐構造を持つように組み合わせて得られる複合折り曲げオフセット給電ダイポールアンテナ（図２（ｂ）参照）は、異なる２つの共振周波数を持つ。
【００１０】
このコンセプトを敷衍して共振周波数が連続的に変化するように短いエレメントを面状に構成したアンテナが多重複合折り曲げオフセット給電ダイポールアンテナ（図２（ｃ）参照）である。連続的に変化する共振周波数は、この面状のエレメントにおいて、多重される短い線状エレメントの端部が連なったものと見なすことのできる縁部分（符号Ｔで示す部分）の形状に大きく依存する。インピーダンス整合の容易性を考慮すると、縁部分Ｔの外端（長いエレメントから遠い側の端）で定まる短いエレメントの長さは、縁部分Ｔの内端（長いエレメントに近い側の端）で定まる短いエレメントの長さよりも長いことが望ましい。図２（ｃ）に示す多重複合折り曲げオフセット給電ダイポールアンテナの放射パターンは、その構成が長いエレメントに関して左右非対称であるがゆえに歪んた形になるが、図２（ｄ）に示すように長いエレメントに関して左右対称構成を持つ多重複合折り曲げオフセット給電ダイポールアンテナの放射パターンは広帯域特性かつ無指向性を持つ。本発明の平面アンテナは、このようなコンセプトに基づくアンテナであり、図２（ｄ）に示すような多重複合折り曲げオフセット給電ダイポールアンテナを大量生産に適する平面アンテナ構造で実現したものである。主偏波に対して直交する交差偏波成分が大きくならないように長いエレメントから主な放射を行う（より詳しくは、長いエレメントのうち、平面アンテナを正視したときに、長い線状エレメントと面状エレメントとがオーバーラップしない部分を主な放射領域とする）ように設計するのが良い。
【００１１】
＜実施形態＞
図面を参照して本発明の実施形態を説明する。実施形態の平面アンテナ１００は、誘電体基板１０１と、誘電体基板１０１の一方の面１０１ａに配置されている第１導体素子１１０と、誘電体基板１０１の他方の面１０１ｂに配置されている第２導体素子１２０とを含んでいる（図３参照）。
【００１２】
実施形態では、誘電体基板１０１は矩形平板の形状を持つが、必ずしもこのような形状に限定されない。誘電体基板１０１の形状、比誘電率εr、厚さＤ、材質などは、設計要求や平面アンテナの使用目的などを考慮して適宜に設定される。ただし、誘電体基板１０１の面１０１ａと面１０１ｂは平行であることが望ましい。
【００１３】
第１導体素子１１０は帯状の形状を有する例えば金属箔である（図３（ａ）参照）。実施形態では、帯状の形状の例として、長さがＬの直線状（換言すれば、細長い矩形状であり、長辺の長さをＬ、短辺の長さをＷ１とする）の形状を図示している。このような第１導体素子１１０は、第１導体素子１１０の長さ方向（第１導体素子１１０の形状が細長い矩形状であれば、第１導体素子１１０の長辺の伸びる方向）が後述する対称軸９０に沿うように（この実施形態では、対称軸９０は、誘電体基板１０１の長辺と平行である）、誘電体基板１０１の一方の面１０１ａに配置されている。
【００１４】
この実施形態では、第１導体素子１１０の一端が誘電体基板１０１の一方の短辺に、第１導体素子１１０の他端が誘電体基板１０１の他方の短辺にそれぞれ達しているが（換言すれば、誘電体基板１０１の長辺の長さＬdがＬに等しい）、必ずしもこのような構成に限定されない。Ｌd≧Ｌであれば十分であり、さらにＬd＞Ｌの場合、第１導体素子１１０の両端のうちいずれかが誘電体基板１０１の短辺に達している構成も、或いは、第１導体素子１１０の両端が誘電体基板１０１の短辺に達していない構成も許容される。
【００１５】
第２導体素子１２０は、線対称な平板状の形状を有する例えば金属箔である（図３（ｂ）（ｃ）参照）。具体的には、第２導体素子１２０は、線対称を定める直線９０（以下、「対称軸９０」と呼称する）の方向に長さＬ１（ただし、長さＬ１は長さＬよりも短い）を有する第１縁部１２０ａと、対称軸９０に関して第１縁部１２０ａと対称の位置にある第２縁部１２０ｂと、第１縁部１２０ａの一端と第２縁部１２０ｂの一端（ただし、第２縁部１２０ｂの一端は、第１縁部１２０ａの一端と対称軸９０に関して対称の位置にある）とを繋ぐ第３縁部１２０ｃと、対称軸９０上に定められた位置（以下、「位置Ｓ」と呼称する）と第１縁部１２０ａの他端とを繋ぐ第４縁部１２０ｄと、対称軸９０に関して第４縁部１２０ｄと対称の位置にある第５縁部１２０ｅを有する形状を持っている。以下、特に断りのない限り、第２縁部１２０ｂと第５縁部１２０ｅの説明を省略する。第２導体素子１２０の対称性を考慮すると、第２縁部１２０ｂについては第１縁部１２０ａの説明を、第５縁部１２０ｅについては第４縁部１２０ｄの説明を、参酌することで理解できるからである。
【００１６】
この実施形態では、第２導体素子１２０は、第３縁部１２０ｃが誘電体基板１０１の一方の短辺と平行になるように誘電体基板１０１の他方の面１０１ｂに配置されている。また、この実施形態では、設計の容易性や製造の容易性などを考慮して、第１縁部１２０ａは対称軸９０と平行な直線状の縁部であり、第３縁部１２０ｃは第２導体素子１２０を正視したとき（換言すれば、第２導体素子１２０の板面の法線と平行な方向から第２導体素子１２０を見たとき）の対称軸９０の垂直線に平行な直線状の縁部であるが、必ずしもこのような形状に限定されず、その少なくとも一部が曲線状であってもよい。
【００１７】
また、この実施形態では、第２導体素子１２０を正視したとき、第１縁部１２０ａは誘電体基板１０１の一方の長辺に、第２縁部１２０ｂは誘電体基板１０１の他方の長辺にそれぞれ重なり（換言すれば、第１縁部１２０ａと第２縁部１２０ｂとの距離Ｗ［つまり第３縁部１２０ｃの長さＷ］が誘電体基板１０１の短辺の長さＷdに等しい）、第３縁部１２０ｃは誘電体基板１０１の一方の短辺に一致しているが、このような構成に限定されない。第３縁部１２０ｃが誘電体基板１０１の短辺に一致しない構成も許容される。また、Ｗd≧Ｗであれば十分であり、さらにＷd＞Ｗの場合、第１縁部１２０ａと第２縁部１２０ｂのうちいずれかが誘電体基板１０１の長辺と重なる構成も、或いは、第１縁部１２０ａと第２縁部１２０ｂが誘電体基板１０１の長辺と重ならない構成も許容される。
【００１８】
位置Ｓは、第２導体素子１２０を正視したとき、第３縁部１２０ｃと対称軸９０との交点Ａを一端とし当該一端Ａから第２導体素子１２０に対する第１導体素子１１０の位置に応じて定められた距離Ｌcだけ離れた対称軸９０上の位置を他端（ただし、この他端は第３縁部１２０ｃに関して第１縁部１２０ａの他端と同じ側に位置する）とする線分Ｒ上（ただし、線分Ｒの両端を除く）に位置している。ここで「第２導体素子１２０を正視したとき、線分Ｒの他端が、第３縁部１２０ｃに関して第１縁部１２０ａの他端と同じ側に位置する」ことは、「第３縁部１２０ｃの両端を通る直線と面１０１ａ（あるいは面１０１ｂ）の法線を含む平面で分けられた二つの空間のうち、線分Ｒの他端は、第１縁部１２０ａの他端が位置する空間と同じ空間に含まれる」ことである。距離Ｌcについては後述する。
【００１９】
さらに好ましくは、第２導体素子１２０を正視したとき、位置Ｓは、線分Ｒにおいて、交点Ａと、第１縁部１２０ａの他端と第２縁部１２０ｂの他端とを結ぶ直線と対称軸９０との交点Ｂと、の間の部分（ただし、交点Ａと交点Ｂを除く）に位置している。これは、位置Ｓから第３縁部１２０ｃまでの距離Ｌ２について、Ｌ２＜Ｌ１であることを意味する。このことは、＜原理＞欄にて説明した「縁部分Ｔの外端（長いエレメントから遠い側の端）で定まる短いエレメントの長さは、縁部分Ｔの内端（長いエレメントに近い側の端）で定まる短いエレメントの長さよりも長い」ことに対応する。なお、本実施形態では、「位置Ｓから第３縁部１２０ｃまでの距離」は、対称軸９０と平行な直線であって位置Ｓを通る直線と第３縁部１２０ｃとの交点と位置Ｓとの長さである。
【００２０】
＜原理＞欄にて説明したように、連続的に変化する共振周波数は面状エレメントの縁部分Ｔの形状に大きく依存するところ、縁部分Ｔに相当する第４縁部１２０ｄの形状は、所望のＶＳＷＲ特性が得られるように適宜に定めることができる。ただし、第４縁部１２０ｄは、第２導体素子１２０を正視したとき、第４縁部１２０ｄ上（ただし、第４縁部１２０ｄが対称軸９０と平行な縁部を含む場合には、当該縁部上を除く）の任意の１点Ｋを通る対称軸９０と平行な直線と第４縁部１２０ｄとの交点が一つ（つまり点Ｋのみ）であるような形状であることが望ましい。
【００２１】
このような第４縁部１２０ｄの形状の一例として、第４縁部１２０ｄ上（ただし、第４縁部１２０ｄが対称軸９０と平行な縁部を含む場合には、当該縁部上を除く）の任意の異なる２点Ｐ，Ｑ（ただし、対称軸９０に近い方の点をＰとする）について、点Ｐから第３縁部１２０ｃまでの距離ＬPと点Ｑから第３縁部１２０ｃまでの距離ＬQとの間にＬP≦ＬQが成立する形状を例示できる。なお、本実施形態では、「第４縁部１２０ｄ上の点（点Ｐ，Ｑ）から第３縁部１２０ｃまでの距離」は、対称軸９０と平行な直線であって当該点を通る直線と第３縁部１２０ｃとの交点と当該点との長さである。
【００２２】
図３に示す実施形態では、具体的には、第４縁部１２０ｄは、
（１）位置Ｓから第１縁部１２０ａに向かって所定の長さＷ３/２だけ離れた位置Ｓ１と位置Ｓとを繋ぐ、対称軸９０と直交する方向に平行な直線状の第４ａ縁部１２０ｆと、
（２）第１縁部１２０ａの他端から対称軸９０に向かって所定の長さ（Ｗ−Ｗ２）/２だけ離れた位置Ｓ２と第１縁部１２０ａの他端とを繋ぐ、対称軸９０と直交する方向に平行な直線状の第４ｂ縁部１２０ｇと、
（３）第４ａ縁部１２０ｆの一端（位置Ｓ１）と第４ｂ縁部１２０ｇの一端（位置Ｓ２）とを繋ぐ第４ｃ縁部１２０ｈと
を含んでいる（ただし、Ｗ３＜Ｗ２）。この実施形態では、設計の容易性や製造の容易性などを考慮して、第４ａ縁部１２０ｆ、第４ｂ縁部１２０ｇ、第４ｃ縁部１２０ｈはいずれも直線状の縁部であるが、必ずしもこのような形状に限定されず、その少なくとも一部が曲線状であってもよい。また、この実施形態では、第４ａ縁部１２０ｆ、第４ｂ縁部１２０ｇ、第４ｃ縁部１２０ｈはいずれも第３縁部１２０ｃと平行であるが、必ずしもこのような構成に限定されない。さらに、第４縁部１２０ｄは、上述の３つの縁部（第４ａ縁部１２０ｆ、第４ｂ縁部１２０ｇ、第４ｃ縁部１２０ｈ）で構成される形状に限定されず、一つの縁部で構成される形状あるいは複数の縁部が連なる折れ線状の形状を持っていてもよい。さらに、第４縁部１２０ｄの一部または全部は曲線状であってもよい。
【００２３】
第１導体素子１１０は、誘電体基板１０１を正視したとき（換言すれば、誘電体基板１０１の面１０１ａまたは面１０１ｂの法線と平行な方向から誘電体基板１０１を見たとき）、上述のように対称軸９０に沿って配置されており、より具体的には、この実施形態では、誘電体基板１０１を正視したとき、第１導体素子１１０の二つの短辺の中点を結ぶ線分が対称軸９０と重なるように配置されている。誘電体基板１０１を正視したときの第１導体素子１１０と第２導体素子１２０との位置関係は次のとおりである。すなわち、誘電体基板１０１を正視したとき、第１導体素子１１０の一端が第３縁部１２０ｃの近傍（例えば数十分の一波長を超えない程度）に位置し、第１導体素子１１０の他端が、第３縁部１２０ｃに関して第１縁部１２０ａの他端と同じ側に位置している。ただし、設計の容易性などを考慮すると、誘電体基板１０１を正視したとき、第１導体素子１１０の一端が第３縁部１２０ｃに重なることが好ましい。ここで「誘電体基板１０１を正視したとき、第１導体素子１１０の他端が、第３縁部１２０ｃに関して第１縁部１２０ａの他端と同じ側に位置している」ことは、「第３縁部１２０ｃの両端を通る直線と面１０１ａ（あるいは面１０１ｂ）の法線を含む平面で分けられた二つの空間のうち、第１導体素子１１０の他端は、第１縁部１２０ａの他端が位置する空間と同じ空間に含まれる」ことである。
【００２４】
上述の距離Ｌcは、誘電体基板１０１を正視したときの第１導体素子１１０の一端と第３縁部１２０ｃとの距離をｄとすると、例えばＬc=α×（Ｌ±ｄ）である。ここでは、誘電体基板１０１を正視したときの第１導体素子１１０の一端が第２導体素子１２０に重なる場合を＋、そうでない場合を−と定義した。αは、1未満の正の定数であり、好ましくは0.5未満の正の定数である。
【００２５】
給電点は、第３縁部１２０ｃに近い方の端部である第１導体素子１１０の一端（図３中の点Ｃ）、および、第２導体素子１２０を正視したとき、対称軸９０が重なる第３縁部１２０ｃの部位（図３中の点Ａ）である。この実施形態では、誘電体基板１０１を正視したとき、第１導体素子１１０の給電点（図３中の点Ｃ）が第２導体素子１２０の給電点（図３中の点Ａ）に重なるように第１導体素子１１０と第２導体素子１２０が配置されている。
【００２６】
このような平面アンテナ１００は、具体例として1.5GHz帯から3.2GHz帯の全帯域において良好なＶＳＷＲ特性（ここでは、ＶＳＷＲが約２以下を「良好」としている）を持つアンテナとして構成できる。この具体例では、第１導体素子１１０の長さＬと長さＬ１との合計は、1.7GHz〜1.9GHzの周波数帯域で１波長に相当する長さであり、第１導体素子１１０の長さＬと位置Ｓから第３縁部１２０ｃまでの距離Ｌ２との合計は、2.8GHz〜3.0GHzの周波数帯域で１波長に相当する長さであり、例えば、εr=3.3、Ｄ=1.6[mm]、Ｌ=78.5[mm]、Ｗ１=3[mm]、Ｌ１=47[mm]、Ｌ２=15[mm]、Ｗ=22[mm]、Ｗ２=11.5[mm]、Ｗ３=1[mm]である。この場合の図３に示す平面アンテナ１００のＶＳＷＲ特性と放射パターンを図４と図５に示す。図４から明らかなように、1.5GHz帯から3.2GHz帯の全帯域において良くインピーダンス整合が実現している。また、図５から明なように、ＸＹ平面において無指向性、ＺＸ平面において８の字特性を示す。ここでの、ＸＹ平面とＺＸ平面は図３中に示すとおりである。なお、主偏波に対して、交差偏波が非常に小さく、当該放射パターン図の範囲外となるため、図５では主偏波のみを示してある。
【００２７】
＜変形例＞
平面アンテナ１００の変形例である平面アンテナ１００ａを図６に示す。平面アンテナ１００ａと平面アンテナ１００に共通の構成要素には同じ符号を用いて重複説明を省略し、平面アンテナ１００ａと平面アンテナ１００で異なる技術事項について説明する。
【００２８】
平面アンテナ１００ａでは、第１導体素子１１０の他端に、対称軸９０と直交する方向での第１導体素子１１０の幅Ｗ１よりも広い幅を有する第３導体素子１１１が接続されている。変形例では、導体素子１１１は矩形の形状を有する例えば金属箔である。このような構成はいわゆる容量装荷型であり、平面アンテナ１００に含まれる第１導体素子１１０の対称軸９０の方向の長さＬと比べて、第１導体素子１１０の長さと第３導体素子１１１の対称軸９０の方向の長さの合計長Ｌmを短くすることができる（Ｌm＜Ｌ）。
【００２９】
この他、本発明は上述の実施形態に限定されるものではなく、本発明の趣旨を逸脱しない範囲で適宜変更が可能である。
【要約】
【課題】広い帯域幅を持ち且つ交差偏波を抑制することが可能な平面アンテナを提供する。
【解決手段】平面アンテナ１００は誘電体基板１０１と長さＬの帯状の第１導体素子１１０と線対称な平板状の第２導体素子１２０を含む。第２導体素子１２０は、対称軸９０の方向に長さＬ１（Ｌ１＜Ｌ）を有する第１縁部１２０ａと、対称軸に関して第１縁部と対称の位置にある第２縁部１２０ｂと、第１縁部の一端と第２縁部の一端とを繋ぐ第３縁部１２０ｃと、対称軸上に定められた位置Ｓと第１縁部の他端とを繋ぐ第４縁部１２０ｄと、対称軸に関して第４縁部と対称の位置にある第５縁部１２０ｅとを有する。第１導体素子は、対称軸に沿って配置されている。誘電体基板を正視したとき、第１導体素子の一端は第３縁部の近傍に位置し、第１導体素子の他端は第３縁部に関して第１縁部の他端と同じ側に位置している。
【選択図】図３【図１】
0005940196.tif 000002
【図２】
0005940196.tif 000003
【図３】
0005940196.tif 000004
【図４】
0005940196.tif 000005
【図６】
0005940196.tif 000006
【図５】
0005940196.tif 000007